(57)【要約】      （修正有）【課題】浮遊式ＬＮＧ再気化設備を提供する。【解決手段】ＬＮＧ貯蔵タンク１０とＬＮＧ再気化器２０とを備えてなる浮遊式ＬＮＧ再気化設備において、前記ＬＮＧ再気化器２０を通じたガス生産はもとより、電力を生産可能な電力生産設備をさらに備えてなる。これにより、ＬＮＧを再気化させるための再気化設備の上に電力を生産可能な電力生産設備であるガスタービン発電機を付設することにより、ガスと電気を同時に供給することができる。再気化設備において発生されるガスを用いてガスタービン発電機を駆動し、ガスタービン発電機のガス圧縮のための圧縮機が削除される。ガスタービン発電機において発生される排ガスを用いて蒸気を生成し、スチームタービン発電機の駆動動力として使用することにより、廃熱回収によるエネルギーを極力抑えることができる。しかも、廃熱使用を通じて海洋汚染をも予防することができる効果が得られる。【選択図】図２
2011158089.tif 000002
【特許請求の範囲】
【請求項１】
ＬＮＧ貯蔵タンク（１０）とＬＮＧ再気化器（２０）とを備えてなる浮遊式ＬＮＧ再気化設備において、
前記ＬＮＧ再気化器（２０）を通じたガス生産はもちろん、電力を生産可能な電力生産設備をさらに備えることを特徴とする浮遊式ＬＮＧ再気化設備。
【請求項２】
前記電力生産設備は、ＬＮＧ再気化器（２０）において生産された再気化ガスにより作動するガスタービン発電機（３０）を通じて電力を生産するようになっていることを特徴とする請求項１に記載の浮遊式ＬＮＧ再気化設備。
【請求項３】
前記ガスタービン発電機（３０）において発生される排ガスを用いて高温の蒸気を発生する排ガス熱交換器（４０）をさらに備えることを特徴とする請求項２に記載の浮遊式ＬＮＧ再気化設備。
【請求項４】
前記ＬＮＧ再気化器（２０）は、ＬＮＧの再気化のためのエネルギー源として、前記排ガス熱交換器（４０）において生成される蒸気を使用することを特徴とする請求項３に記載の浮遊式ＬＮＧ再気化設備。
【請求項５】
前記ＬＮＧ再気化器（２０）において発生される蒸気は水に変換されて、排ガス熱交換器（４０）において蒸気の生成のための凝縮水として再使用されることを特徴とする請求項４に記載の浮遊式ＬＮＧ再気化設備。
【請求項６】
前記ＬＮＧ再気化器（２０）から排出される水を加熱して高温の凝縮水に変換する熱交換器（５０）をさらに備えることを特徴とする請求項５に記載の浮遊式ＬＮＧ再気化設備。
【請求項７】
前記熱交換器（５０）は、ＬＮＧ再気化器（２０）から排出される冷却水を用いて、前記ガスタービン発電機（３０）やその他の再気化設備上の空調システムなどから排出される高温の冷却水を冷却することを特徴とする請求項６に記載の浮遊式ＬＮＧ再気化設備。
【請求項８】
前記排ガス熱交換器（４０）において発生される蒸気を用いて電気を発電させるスチームタービン発電機（６０）をさらに備えることを特徴とする請求項３に記載の浮遊式ＬＮＧ再気化設備。
【請求項９】
前記スチームタービン発電機（６０）から排出される水は、ＬＮＧ再気化器（２０）から排出される水と混合されて熱交換器（５０）に供給されることを特徴とする請求項８に記載の浮遊式ＬＮＧ再気化設備。
【請求項１０】
前記排ガス熱交換器（４０）において発生される排ガスをＬＮＧ再気化器（２０）に供給するための供給流路（７０）をさらに備えることを特徴とする請求項３に記載の浮遊式ＬＮＧ再気化設備。
【発明の詳細な説明】
【技術分野】
【０００１】
本発明は浮遊式ＬＮＧ再気化設備に係り、さらに詳しくは、ＬＮＧを再気化させるための再気化設備の上に電力を生産可能な電力生産設備であるガスタービン発電機を付設することにより、基本的にガスと電気を同時に供給することができ、且つ、再気化設備において発生されるガスを用いてガスタービン発電機を駆動させることが可能になることから、ガスタービン発電機のガス圧縮のための圧縮機が削除されてガスタービン発電機の設置による費用を削減することができ、且つ、ガスタービン発電機において発生される排ガスを用いて蒸気を生成させた後、この蒸気をＬＮＧ再気化器および電気発電のために付加されるスチームタービン発電機の駆動動力として使用することにより、廃熱回収による全体設備にかかるエネルギーを極力抑えることができて費用節減を図ることができ、しかも、廃熱使用を通じて海洋汚染をも予防することができる浮遊式ＬＮＧ再気化設備に関する。
【背景技術】
【０００２】
一般に、ＬＮＧフローター（ＬＮＧFloater；浮遊式ＬＮＧ再気化設備）とは、バージ状の浮遊物にＬＮＧ若しくは天然ガスを生産する設備を備えた海上設備のことを言う。
【０００３】
この種のＬＮＧフローター（ＬＮＧFloater）は、ＬＮＧを貯蔵する貨物艙の形状に応じて上部設備の配置が異なるが、例えば、貨物艙がＭＯＳＳである場合にはＬＮＧのスロッシング現象の問題がなくて安全であると認識されているが、ＬＮＧを生産するＦＰＳＯ（浮遊式原油生産貯蔵装置）を製作したり既存の運航中のＬＮＧ船をＬＮＧ ＦＰＳＯに改造するのに空間的な制約があって必要以上の面積が求められる。
【０００４】
そして、貨物艙がメンブレインである場合、スロッシング現象の問題などによりＬＮＧフローターの貨物艙として使用するのに多くの制約があり、特に、貨物艙の絶縁部分に対する強度を大幅に増やすことを余儀なくされ、且つ、改造の場合には貨物艙の一部を変更して強化絶縁資材に取り替える必要がある。
【０００５】
そして、貨物艙がＳＰＢである場合には、スロッシング現象の問題がないことが見込まれてＬＮＧフローターの貨物艙として使用してはいるが、メンブレイン方式と比較して生産コストが高くつく。
【０００６】
このように、貨物艙の形状による様々なＬＮＧ再気化設備を用いて、海上において海水面に浮遊された状態でガスを生産することが可能になるのである。
【０００７】
その一例として、従来の技術による浮遊式ＬＮＧ再気化設備を概略的に説明すると、下記の通りである。
【０００８】
図１に示すように、従来の技術による浮遊式ＬＮＧ再気化設備は、海上に浮遊された状態にあり、それぞれＬＮＧが貯蔵されているＬＮＧタンク１０と、このＬＮＧタンク１０内のＬＮＧを外部に排出する低圧ポンプ８１と、外部に設けられてＬＮＧタンク１０から排出されるＬＮＧを一次的に緩和するバッファタンク８２と、このバッファタンク８３のＬＮＧを外部に排出する高圧ポンプ８３と、ＬＮＧの流量供給を制御する流量制御弁８４およびＬＮＧを再気化させるＬＮＧ再気化器２０を備えてなる。
【０００９】
このような構成を有する従来の技術による浮遊式ＬＮＧ再気化設備は、ＬＮＧタンク１０からＬＮＧを供給されてＬＮＧ再気化器２０においてＬＮＧを再気化させた後にガスを生産することになる。
【発明の概要】
【発明が解決しようとする課題】
【００１０】
しかしながら、このような従来の技術によるＬＮＧ再気化設備は、ガスのみを生産できるようになっており、再気化のために海水を使用することを余儀なくされるため、海洋環境に悪影響を及ぼしてしまい、且つ、ガスの消耗量が減少する夏場の場合、ＬＮＧの貯蔵期間が長くなると、熱伝達により発生されるガスを強制的に焼却したり大気放出させたりすることにより、エネルギーの無駄使いをもたらし、しかも、海岸のプラント建設を支援するために用いられる発電機の場合、従来より用いられてきている燃料により海洋汚染をもたらすなどの問題点を有していた。
【００１１】
本発明は上記の如き問題点を解消するためになされたものであり、その目的は、ＬＮＧを再気化させるための再気化設備の上に電力を生産可能な電力生産設備であるガスタービン発電機を付設することにより、基本的にガスと電気を同時に供給することができる浮遊式ＬＮＧ再気化設備を提供するところにある。
【００１２】
また、本発明の他の目的は、再気化設備において発生されるガスを用いてガスタービン発電機を駆動させることが可能になることから、ガスタービン発電機のガス圧縮のための圧縮機が削除されてガスタービン発電機の設置による費用を削減することができる浮遊式ＬＮＧ再気化設備を提供するところにある。
【００１３】
さらに、本発明のさらに他の目的は、ガスタービン発電機において発生される排ガスを用いて蒸気を生成した後、この蒸気をＬＮＧ再気化器および電気発電のために付加されるスチームタービン発電機の駆動動力として使用することにより、廃熱回収による全体設備にかかるエネルギーを極力抑えることができて費用節減を図ることができ、しかも、廃熱使用を通じて海洋汚染をも予防することができる浮遊式ＬＮＧ再気化設備を提供するところにある。
【課題を解決するための手段】
【００１４】
上記の目的を達成するためになされた本発明の浮遊式ＬＮＧ再気化設備は、ＬＮＧ貯蔵タンクとＬＮＧ再気化器とを備えてなる浮遊式ＬＮＧ再気化設備において、前記ＬＮＧ再気化器を通じたガス生産はもちろん、電力を生産可能な電力生産設備をさらに備えることを特徴とする。
【００１５】
好ましくは、本発明に係る浮遊式ＬＮＧ再気化設備において、前記電力生産設備は、ＬＮＧ再気化器において生産された再気化ガスにより作動するガスタービン発電機を通じて電力を生産するようになっている。
【００１６】
また、好ましくは、本発明に係る浮遊式ＬＮＧ再気化設備は、前記ガスタービン発電機において発生される排ガスを用いて高温の蒸気を発生する排ガス熱交換器をさらに備える。
【００１７】
さらに、好ましくは、本発明に係る浮遊式ＬＮＧ再気化設備において、前記ＬＮＧ再気化器は、ＬＮＧの再気化のためのエネルギー源として、前記排ガス熱交換器において生成される蒸気を使用する。
【００１８】
さらに、好ましくは、本発明に係る浮遊式ＬＮＧ再気化設備において、前記ＬＮＧ再気化器において発生される蒸気は水に変換されて、排ガス熱交換器において蒸気の生成のための凝縮水として再使用される。
【００１９】
さらに、好ましくは、本発明に係る浮遊式ＬＮＧ再気化設備は、前記ＬＮＧ再気化器から排出される水を加熱して高温の凝縮水に変換する熱交換器をさらに備える。
【００２０】
さらに、好ましくは、本発明に係る浮遊式ＬＮＧ再気化設備において、前記熱交換器は、ＬＮＧ再気化器から排出される冷却水を用いて、前記ガスタービン発電機やその他の再気化設備上の空調システムなどから排出される高温の冷却水を冷却する。
【００２１】
さらに、好ましくは、本発明に係る浮遊式ＬＮＧ再気化設備は、前記排ガス熱交換器において発生される蒸気を用いて電気を発電させるスチームタービン発電機をさらに備える。
【００２２】
さらに、好ましくは、本発明に係る浮遊式ＬＮＧ再気化設備において、前記スチームタービン発電機から排出される水は、ＬＮＧ再気化器から排出される水と混合されて熱交換器に供給される。
【００２３】
さらに、好ましくは、本発明に係る浮遊式ＬＮＧ再気化設備は、前記排ガス熱交換器において発生される排ガスをＬＮＧ再気化器に供給するための供給流路をさらに備える。
【発明の効果】
【００２４】
本発明の一実施の形態による浮遊式ＬＮＧ再気化設備は、ＬＮＧを再気化させるための再気化設備の上に電力を生産可能な電力生産設備であるガスタービン発電機を付設することにより、基本的にガスと電気を同時に供給することができるという効果が得られる。
【００２５】
また、再気化設備において発生されるガスを用いてガスタービン発電機を駆動させることが可能になることから、ガスタービン発電機のガス圧縮のための圧縮機が削除されてガスタービン発電機の設置による費用を削減することができるという効果が得られる。
【００２６】
さらに、ガスタービン発電機において発生される排ガスを用いて蒸気を生成させた後、この蒸気をＬＮＧ再気化器および電気発電のために付加されるスチームタービン発電機の駆動動力として使用することにより、廃熱回収による全体設備にかかるエネルギーを極力抑えることができて費用節減を図ることができ、しかも、廃熱使用を通じて海洋汚染をも予防することができるという効果が得られる。
【図面の簡単な説明】
【００２７】
【図１】従来の技術による浮遊式ＬＮＧ再気化設備を示す概略図である。
【図２】本発明の一実施の形態による浮遊式ＬＮＧ再気化設備に電力生産設備が付設された状態を示す概略図である。
【発明を実施するための形態】
【００２８】
以下、添付図面に基づき、上記の如き構成を有する本発明に係る浮遊式ＬＮＧ再気化設備を詳述する。
【００２９】
図２に示すように、本発明の一実施の形態による浮遊式ＬＮＧ再気化設備は、ＬＮＧ貯蔵タンク１０と、ＬＮＧ再気化器２０および電力を生産可能な電力生産設備を備えてなる。
【００３０】
ここで、前記電力生産設備は、ＬＮＧ再気化器２０において生産された再気化ガスによって作動するガスタービン発電機３０を通じて電力を生産するようになっている。
【００３１】
そして、本発明の一実施の形態による浮遊式ＬＮＧ再気化設備は、前記ガスタービン発電機３０において発生される排ガスを用いて高温の蒸気を発生する排ガス熱交換器４０をさらに備える。
【００３２】
ここで、前記ＬＮＧ再気化器２０は、ＬＮＧの再気化のためのエネルギー源として、前記排ガス熱交換器４０において生成される蒸気を使用する。
【００３３】
さらに、前記ＬＮＧ再気化器２０において生成された蒸気は水に変換されて、排ガス熱交換器４０において蒸気の生成のための凝縮水として再使用される。
【００３４】
加えて、本発明の一実施の形態による浮遊式ＬＮＧ再気化設備は、前記ＬＮＧ再気化器２０から排出される水を用いて、前記ガスタービン発電機３０やその他の再気化設備上の空調システムなどから排出される高温の冷却水を冷却させる熱交換器５０を備える。
【００３５】
ここで、前記熱交換器５０の熱交換を通じて得られる熱は、ＬＮＧ再気化器２０から排出される水を加熱する役割をも果たす。
【００３６】
そして、 本発明の一実施の形態による浮遊式ＬＮＧ再気化設備は、電力生産設備として、前記排ガス熱交換器４０において発生される蒸気を用いて電気を発電させるスチームタービン発電機６０をさらに備える。
【００３７】
さらに、前記スチームタービン発電機６０から排出される水は、ＬＮＧ再気化器２０から排出される水と混合されて熱交換器５０に供給される。
【００３８】
一方、本発明の一実施の形態による浮遊式ＬＮＧ再気化設備は、前記排ガス熱交換器において発生される排ガスをＬＮＧ再気化器に供給するための供給流路７０をさらに備える。
【００３９】
未説明符号８１はＬＮＧタンク１０内の低圧ポンプを示し、８２はバッファタンクを示し、８３は高圧ポンプを示し、そして８４は流量制御弁を示す。
【００４０】
そして、未説明符号８５はガス流量計を示し、８６は分配器を示し、８７は変圧器を示し、そして８８は循環ポンプを示す。
【００４１】
このような構成を有する、本発明の一実施の形態による浮遊式ＬＮＧ再気化設備は、基本的に、ＬＮＧ貯蔵タンク１０から低圧ポンプ８１と、バッファタンク８２および高圧ポンプ８３を介してＬＮＧを供給されてＬＮＧ再気化器２０においてガスを生産し、且つ、ここに電力生産設備を付設して電力を生産する。
【００４２】
以下、 上記の電力生産設備を通じた電力生産過程を説明すれば、まず、前記電力生産設備としてガスタービン発電機３０を配設し、ＬＮＧ再気化器２０において生産された再気化ガスを用いてガスタービン発電機３０を動作させて電力を生産する。
【００４３】
ここで、前記ガスタービン発電機３０において発生される排ガスは、排ガス熱交換器４０において凝縮水と熱交換されて蒸気を生成した後に大気に排出される。
【００４４】
そして、前記熱交換により得られた高温の蒸気は、前記ＬＮＧ再気化器２０のＬＮＧ再気化のためのエネルギー源として用いられる。
【００４５】
すなわち、この時点から、ＬＮＧ再気化器２０は、起動燃料であるディーゼルなどを用いることなく、前記排ガス熱交換器４０において生成される蒸気を用いて運転をすることが可能になる。
【００４６】
さらに、前記ＬＮＧ再気化器２０において生成された蒸気は水に変換されて排ガス熱交換器４０において蒸気生成のための凝縮水として再使用される。
【００４７】
このとき、前記ＬＮＧ再気化器２０を経た蒸気は水（概ね２０℃）に変換されて熱交換器５０に送り込まれる。この後、この熱交換器５０においてガスタービン発電機３０やその他の再気化設備上の空調システムなどから排出される高温（概ね６０℃）の冷却水と熱交換され、この高温の冷却水を低温（概ね３０℃）の冷却水に変換させて前記ガスタービン発電機３０や再気化設備上の空調システムなどの冷却水として再活用する。
【００４８】
一方、前記排ガス熱交換器４０において発生される蒸気の一部は電気を発電させるスチームタービン発電機６０に送り込まれて電気を発生させる。
【００４９】
そして、このスチームタービン発電機６０から排出される水（概ね４０℃）は、ＬＮＧ再気化器２０から排出される水と混合されて熱交換器５０に供給される。
【００５０】
このとき、熱交換器５０において熱交換された水は概ね４５〜５０℃となり、循環ポンプ８８を介して凝縮水として排ガス熱交換器４０に送り込まれる。
【００５１】
一方、前記排ガス熱交換器４０から排出される排ガスは別途の供給流路７０を介して再びＬＮＧ再気化器２０に供給する。
【００５２】
このように、本発明は、ＬＮＧ再気化器２０を通じてガスを生産することができるとともに、この再気化されたガスを用いてガスタービン発電機３０を駆動させて電気を発電させることができ、しかも、このガスタービン発電機３０の排ガスを用いて蒸気を作り出してＬＮＧ再気化器２０および蒸気タービン発電機６０の駆動原料として使用することができるので、効率よいエネルギーの活用はもとより、海洋汚染の予防などの様々な効果が得られる。
【００５３】
以上、本発明の好適な実施の形態をあげて本発明に係る浮遊式ＬＮＧ再気化設備を説明したが、前記実施の形態を既存の公知技術と単に組み合わせて適用した実施形態はもとより、本発明の特許請求の範囲と詳細な説明において本発明が属する技術分野における当業者が本発明を単に変形して利用することができる程度の技術は、言うまでもなく本発明の技術範囲に含まれるものと認められるべきである。
【符号の説明】
【００５４】
１０：ＬＮＧタンク
２０：ＬＮＧ再気化器
３０：ガスタービン発電機
４０：排ガス熱交換器
５０：熱交換器
６０：スチームタービン発電機
７０：供給流路
８１：低圧ポンプ
８２：バッファタンク
８３：高圧ポンプ
８４：流量制御弁
８５：ガス流量計
８６：分配器
８７：変圧器
８８：循環ポンプ
【図１】
2011158089.tif 000003
【図２】
2011158089.tif 000004